(57)【要約】【課題】雨水が溜まることを抑制して視認性を向上させることができる表示装置用カバー及び表示装置を提供する。【解決手段】板体４０は、表面４０１（表側）と裏面４０２（裏側）とを有する矩形状の板体であり、表側には、表面４０１から突出させた庇３０を設けてある。板体４０には、ＬＥＤ７２の位置に合わせて縦横方向にマトリクス状に配設した挿通孔５１を形成してある。挿通孔５１は、ＬＥＤ７２の砲弾型の光透過部の前方部（先端部）が挿通するようにしてある。各挿通孔５１は、上側及び下側の壁４５、左側及び右側の壁４３で囲まれている。挿通孔５１の下側の壁４５の壁面４５１と庇３０の上側表面３１の一部の傾斜面３１１とは略同一面をなす。【選択図】図６
2012220616.tif 000002
【特許請求の範囲】
【請求項１】
複数の光源が縦横方向に配置された表示部にその裏側が対向され、前記光源の位置に合わせて壁で囲まれた挿通孔を複数開設した板体と、該板体の表側に横方向の隣り合う二列の挿通孔の間に横方向に設けられ、外光を遮蔽する庇とを備える表示装置用カバーにおいて、
前記挿通孔の下側の壁面と前記庇の上側表面の一部とが略同一面をなすことを特徴とする表示装置用カバー。
【請求項２】
前記庇の上側表面の一部は、
前記挿通孔に向かって下方に傾斜していることを特徴とする請求項１に記載の表示装置用カバー。
【請求項３】
前記挿通孔の下側の壁面は、
前記板体の表側から裏側に向かって下方に傾斜していることを特徴とする請求項１又は請求項２に記載の表示装置用カバー。
【請求項４】
前記挿通孔の上側及び下側の壁の長さは、該挿通孔の側方の壁の長さより短いことを特徴とする請求項１乃至請求項３のいずれか１項に記載の表示装置用カバー。
【請求項５】
前記挿通孔の上側及び下側の裏側端部は、平面状をなすことを特徴とする請求項１乃至請求項４のいずれか１項に記載の表示装置用カバー。
【請求項６】
前記庇の上側表面に前記挿通孔に向かって形成された複数の溝を備えることを特徴とする請求項１乃至請求項５のいずれか１項に記載の表示装置用カバー。
【請求項７】
請求項１乃至請求項６のいずれか１項に記載の表示装置用カバーと、複数の光源が縦横方向に配置された表示部とを備えることを特徴とする表示装置。
【発明の詳細な説明】
【技術分野】
【０００１】
本発明は、光源が縦横方向に配列された表示装置に用いる表示装置用カバー及び該表示装置用カバーを備える表示装置に関する。
【背景技術】
【０００２】
近年、省電力及び長寿命であるという理由で発光ダイオード（ＬＥＤ）が光源として注目を浴びており、照明用の光源だけでなく、交通信号機、表示装置など広い分野で使用されている。
【０００３】
例えば、屋外に設置可能な表示装置として、基板に実装されたＬＥＤランプと、基板の前面を覆う板状のルーバーとを備え、ルーバーにはＬＥＤランプの位置に対応させて貫通孔を設けるとともに、横方向の各ＬＥＤランプの上側の部分が前方に庇状に突出させてＬＥＤランプへの外光の入射を抑制させるとともに、防水機能を備えた表示装置が開示されている（特許文献１参照）。
【先行技術文献】
【特許文献】
【０００４】
【特許文献１】特開２００３−２９６６８号公報
【発明の概要】
【発明が解決しようとする課題】
【０００５】
しかしながら、特許文献１の表示装置にあっては、雨水が表面張力により庇の上又は庇の先端付近に水滴として溜まるため、ＬＥＤランプからの光が溜まった水滴で乱反射又は屈折し、表示装置としての視認性が低下するという問題があった。
【０００６】
本発明は斯かる事情に鑑みてなされたものであり、雨水が溜まることを抑制して視認性を向上させることができる表示装置用カバー及び該表示装置用カバーを備える表示装置を提供することを目的とする。
【課題を解決するための手段】
【０００７】
第１発明に係る表示装置用カバーは、複数の光源が縦横方向に配置された表示部にその裏側が対向され、前記光源の位置に合わせて壁で囲まれた挿通孔を複数開設した板体と、該板体の表側に横方向の隣り合う二列の挿通孔の間に横方向に設けられ、外光を遮蔽する庇とを備える表示装置用カバーにおいて、前記挿通孔の下側の壁面と前記庇の上側表面の一部とが略同一面をなすことを特徴とする。
【０００８】
第２発明に係る表示装置用カバーは、第１発明において、前記庇の上側表面の一部は、前記挿通孔に向かって下方に傾斜していることを特徴とする。
【０００９】
第３発明に係る表示装置用カバーは、第１発明又は第２発明において、前記挿通孔の下側の壁面は、前記板体の表側から裏側に向かって下方に傾斜していることを特徴とする。
【００１０】
第４発明に係る表示装置用カバーは、第１発明乃至第３発明のいずれか１つにおいて、前記挿通孔の上側及び下側の壁の長さは、該挿通孔の側方の壁の長さより短いことを特徴とする。
【００１１】
第５発明に係る表示装置用カバーは、第１発明乃至第４発明のいずれか１つにおいて、前記挿通孔の上側及び下側の裏側端部は、平面状をなすことを特徴とする。
【００１２】
第６発明に係る表示装置用カバーは、第１発明乃至第５発明のいずれか１つにおいて、前記庇の上側表面に前記挿通孔に向かって形成された複数の溝を備えることを特徴とする。
【００１３】
第７発明に係る表示装置は、第１発明乃至第６発明のいずれか１つに係る表示装置用カバーと、複数の光源が縦横方向に配置された表示部とを備えることを特徴とする。
【００１４】
第１発明にあっては、挿通孔の下側の壁面と庇の上側表面の一部とが略同一面をなす。略同一面とは、挿通孔の下側の壁面と庇の上側表面の一部とが同一面となる場合だけでなく、挿通孔の下側の壁面と庇の上側表面の一部とが若干の交差角（例えば、１０度以下など）を有する場合も含む。庇の上側表面の一部と挿通孔の下側の壁面が略同一面をなすので、庇の上側表面に溜まった水滴が挿通孔の壁面を伝わって流れやすくなり、雨水が庇に残留することを抑制することができ、光源からの光が溜まった水滴により乱反射又は屈折することがなく光源の視認性を向上させることができる。
【００１５】
第２発明にあっては、庇の上側表面の一部は、挿通孔に向かって下方に傾斜している。庇の上側表面と傾斜させた一部の表面との交差角（傾斜角）は、例えば、５度ないし１０度の範囲とすることができる。庇の上側表面の一部を傾斜してあるので、庇の上側表面に溜まった水滴が挿通孔の壁面を伝わってさらに流れやすくなり、雨水が庇に残留することを一層抑制することができる。
【００１６】
第３発明にあっては、挿通孔の下側の壁面は、板体の表側から裏側に向かって下方に傾斜している。庇の上側表面と壁面との交差角（傾斜角）は、例えば、５度ないし２０度の範囲とすることができる。挿通孔の下側の壁面を傾斜してあるので、庇の上側表面に溜まった水滴が挿通孔の壁面を伝わってさらに流れやすくなり、雨水が庇に残留することを一層抑制することができる。
【００１７】
第４発明にあっては、挿通孔の上側及び下側の壁の長さは、側方（右側及び左側）の壁の長さより短い。挿通孔は、上側、下側、側方（左側及び右側）の壁で囲まれている。壁の長さは、挿通孔の深さと同等である。そして、上側と下側の壁の長さを側方の壁の長さより短くする（長さの差を設ける）ことにより、挿通孔の裏面側（板体の裏面側）には、上下方向に長さの差に相当する隙間の溝を設けることになる。これにより、庇の上側表面から挿通孔の下側の壁面へ伝わった水滴を、下側の壁の裏側端部から下方へ落下させることができる。
【００１８】
第５発明にあっては、挿通孔の上側及び下側の裏側端部は、平面状をなす。挿通孔の上側及び下側の裏側端部が平面状をなすことにより、庇の上側表面から挿通孔の下側の壁面へ伝わった水滴が、下側の壁の裏側端部で溜まることなく下方へ容易に落下させることができる。
【００１９】
第６発明にあっては、庇の上側表面に挿通孔に向かって形成された複数の溝を備える。庇の表面に溝がない場合には、表面張力などによって比較的大きな塊として水滴が溜まる。一方、庇の表面に溝を設けた場合には、水滴が溝に入り込むことにより、水滴が大きな塊として溜まらないようにすることができ、水滴を庇の表面に広げることができ、水滴を流れやすくすることができる。
【００２０】
第７発明にあっては、前述の発明に係る表示装置用カバーと、複数の光源が縦横方向に配置された表示部とを備える。これにより、雨水が溜まることを抑制して視認性を向上させることができる表示装置を実現することができる。
【発明の効果】
【００２１】
本発明によれば、庇に雨水が溜まることを抑制して視認性を向上させることができる。
【図面の簡単な説明】
【００２２】
【図１】実施の形態１の表示装置の構成の一例を示す正面図である。
【図２】実施の形態１の表示装置の構成の一例を示す側面図である。
【図３】実施の形態１の表示ユニットの構成の一例を示す外観斜視図である。
【図４】実施の形態１の表示ユニットの構成の一例を示す分解斜視図である。
【図５】実施の形態１のルーバーの構成の一例を示す外観斜視図である。
【図６】図５のＶＩ−ＶＩ線における挿通孔近傍の第１例を示す要部断面図である。
【図７】庇に溜まった水滴の落下の様子を示す説明図である。
【図８】比較例としての庇の要部を示す正面図である。
【図９】比較例としての庇の要部を示す断面図である。
【図１０】ルーバーの挿通孔近傍の第２例を示す要部断面図である。
【図１１】ルーバーの挿通孔近傍の第３例を示す要部断面図である。
【図１２】ルーバーの挿通孔近傍の第４例を示す要部断面図である。
【図１３】実施の形態２のルーバーの構成の第１例を示す要部外観斜視図である。
【図１４】親水効果の比較例を示す説明図である。
【図１５】実施の形態２のルーバーの構成の第２例を示す要部外観斜視図である。
【発明を実施するための形態】
【００２３】
（実施の形態１）
以下、本発明をその実施の形態を示す図面に基づいて説明する。図１は実施の形態１の表示装置２００の構成の一例を示す正面図であり、図２は実施の形態１の表示装置２００の構成の一例を示す側面図である。表示装置２００は、箱状の筐体２０１を備え、筐体２０１の前面に複数の表示ユニット１００を縦横方向に配置してある。表示装置２００の縦横寸法は、例えば、２３０ｃｍ×２５０ｃｍ程度、奥行き寸法は、３０ｃｍ程度であるが、大きさはこれに限定されるものではなく、表示装置の用途、設置場所に応じてさらに大型のものでもよく、さらに小型のものでもよい。
【００２４】
図１の例では、表示ユニット１００は、縦方向に１２列、横方向に１３列のマトリクス状に配置してあるが、表示ユニットの配置は図１の例に限定されるものではない。なお、表示ユニットを表示装置と称することもできる。
【００２５】
図３は実施の形態１の表示ユニット１００の構成の一例を示す外観斜視図であり、図４は実施の形態１の表示ユニット１００の構成の一例を示す分解斜視図であり、図５は実施の形態１のルーバー５０の構成の一例を示す外観斜視図である。図３及び図４に示すように、表示ユニット１００（表示装置と称することもできる）は、表示装置用カバーとしてのルーバー５０、箱状のケース７１に光源としての複数のＬＥＤ７２が縦横方向に配置された光源部７０などを備える。
【００２６】
ＬＥＤ７２は、例えば、赤色ＬＥＤチップを実装したＬＥＤ７２、及び緑色ＬＥＤチップと青色ＬＥＤチップとを纏めて実装したＬＥＤ７２を縦横交互に配置してある。
【００２７】
ケース７１は、合成樹脂製であり、複数のＬＥＤ７２を実装した光源基板（不図示）、各ＬＥＤ７２の点灯及び消灯を制御する制御基板（不図示）などを収容している。ＬＥＤ７２を実装した光源基板の表面には、ＬＥＤ７２の砲弾型の光透過部を露出させるようにして、外部からの水滴又は水分が内部に侵入しないようにエポキシ樹脂などの合成樹脂７３をコーティングしてある。これにより、ＬＥＤ７２の表面に雨水などの水滴が付着しても、光源部７０の内部には水分が侵入しないので、光源部７０は防水機能を備える。
【００２８】
図５に示すように、ルーバー５０は、各ＬＥＤ７２を挿通するため上下左右の壁で囲まれた複数の挿通孔５１を縦横方向に配設した板体４０、板体４０の表側であって、横方向の隣り合う二列の挿通孔５１の間に横方向に設けられた庇３０などを備える。庇３０は、外光を遮蔽する機能を有する。
【００２９】
図６は図５のＶＩ−ＶＩ線における挿通孔近傍の第１例を示す要部断面図である。すなわち、図６はルーバー５０の挿通孔５１の略中心を通り挿通孔５１の長さ方向に沿った縦方向の面における要部断面の第１例を示す。板体４０は、表面４０１（表側）と裏面４０２（裏側）とを有する矩形状の板体であり、表側には、表面４０１から突出させた庇３０を設けてある。なお、板体４０と庇３０とは一体成型することができる。以下の説明では、庇３０は、板体４０の表面４０１から突出した部分をいうものとする。なお、板体４０から突出した庇３０の長さは、例えば、１５ｍｍ程度であるが、これに限定されるものではない。
【００３０】
板体４０には、ＬＥＤ７２の位置に合わせて縦横方向にマトリクス状に配設した挿通孔５１を形成してある。挿通孔５１は、ＬＥＤ７２の砲弾型の光透過部の前方部（先端部）が挿通するようにしてある。
【００３１】
各挿通孔５１は、上側及び下側（縦方向）の壁４５、左側及び右側（側方）の壁４３で囲まれている。なお、壁４５は、庇３０の裏側から延設された構成をなす。挿通孔５１の孔の形状は、略楕円形をなすが、円形、矩形など他の形状でもよい。
【００３２】
庇３０の上側表面３１の一部は、挿通孔５１の方向に向かって下方に傾斜した傾斜面３１１をなす。傾斜面３１１の幅は挿通孔５１の幅（側方の壁４３の間隔）と同程度である。庇３０の上側表面３１と傾斜面３１１との交差角（傾斜角）αは、例えば、５度ないし１０度の範囲とすることができる。なお、交差角αはこれに限定されるものではない。
【００３３】
挿通孔５１の下側の壁４５の壁面４５１と前述の傾斜面３１１とは略同一面をなす。略同一面とは、挿通孔５１の下側の壁面４５１と庇の傾斜面３１１とが同一面となる場合だけでなく、挿通孔５１の下側の壁面４５１と庇の傾斜面３１１とが若干の交差角（例えば、１０度以下など）を有する場合も含む。
【００３４】
庇３０の上側表面３１の一部である傾斜面３１１と挿通孔５１の下側の壁面４５１が略同一面をなすので、庇３０の上側表面３１に溜まった水滴が挿通孔５１の壁面４５１を伝わって流れやすくなり、雨水が庇３０に残留することを抑制することができ、ＬＥＤ７２からの光が溜まった水滴により乱反射又は屈折することがなくＬＥＤ７２の視認性を向上させることができる。
【００３５】
また、庇３０の上側表面３１の一部に傾斜面３１１を設けてあるので、庇３０の上側表面３１に溜まった水滴が挿通孔５１の壁面４５１を伝わってさらに流れやすくなり、雨水が庇３０に残留することを一層抑制することができる。
【００３６】
また、挿通孔５１は、上下の壁４５及び左右の壁４３で囲まれているが、挿通孔５１の上側及び下側の壁４５の長さは、右側及び左側の壁４３の長さより短い。壁の長さは、挿通孔５１の深さと同等である。そして、上側と下側の壁４５の長さを右側及び左側の壁４３の長さより短くする（長さの差を設ける）ことにより、挿通孔５１の裏面側（板体の裏面側）には、上下方向に長さの差に相当する隙間ｄの溝を設けることになる。隙間ｄは、例えば、３ｍｍ〜５ｍｍ程度であるが、これに限定されるものではない。しかし、隙間ｄは広い方がよい。隙間ｄの溝を設けることにより、庇３０の上側表面３１から挿通孔５１の下側の壁面４５１へ伝わった水滴を、下側の壁４５の裏側端部４５２から下方へ落下させることができる。
【００３７】
また、挿通孔５１の上側及び下側の裏側端部４５２は、段差のない平面状をなす。挿通孔５１の上側及び下側の裏側端部４５２が平面状をなすことにより、庇３０の上側表面３１から挿通孔５１の下側の壁面４５１へ伝わった水滴が、下側の壁４５の裏側端部４５２で溜まることなく下方へ容易に落下させることができる。
【００３８】
図７は庇３０に溜まった水滴の落下の様子を示す説明図である。図７に示すように、庇３０の上側表面３１の一部に傾斜面３１１を設け、傾斜面３１１と挿通孔５１の下側の壁面４５１が略同一面をなすので、庇３０の上側表面３１に溜まった水滴は、挿通孔５１の下側の壁４５の壁面４５１へ流れ、矢印が示すように、壁４５の裏側端部４５２から下方に落下する。
【００３９】
また、挿通孔５１の裏面側（板体の裏面側）には、板体４０の上下方向に壁４５、４３の長さの差に相当する隙間ｄの溝を設け、裏側端部４５２が平面状をなすことにより、庇３０の上側表面３１から挿通孔５１の下側の壁面４５１へ伝わった水滴が、下側の壁４５の裏側端部４５２で溜まることなく下方へ容易に落下させることができる。
【００４０】
図８は比較例としての庇３００の要部を示す正面図であり、図９は比較例としての庇３００の要部を示す断面図である。図８及び図９に示すように、従来のルーバーにおいて、庇３００の上面に段差３０１、３０２が設けてある場合には、庇３００の上面に溜まった水滴Ｗは、段差３０１、３０２が存在するため、ルーバーの裏側から下方に流れにくくなり、水滴が残留する。
【００４１】
また、図９に示すように、庇３００の裏側端部にも段差３０３が設けられている場合には、ルーバーの裏側から下方に流れにくくなり、水滴が残留する。
【００４２】
本実施の形態のルーバー５０には、比較例で示したような段差３０１、３０２、３０３が存在しないので、庇３０に溜まった水滴が挿通孔５１の壁面４５１へ容易に流れ、挿通孔５１の下側の壁４５の裏側端部４５２で溜まることなく下方へ容易に落下させることができる。
【００４３】
図１０はルーバー５０の挿通孔５１近傍の第２例を示す要部断面図である。図１０に示すように、図６の第１例との違いは、挿通孔５１の上側及び下側の壁４５の壁面４５１が庇３０の上側表面３１と平行、すなわち傾斜していない点である。
【００４４】
図１０に示すように、庇３０の上側表面３１の一部は、挿通孔５１の方向に向かって下方に傾斜した傾斜面３１１をなす。傾斜面３１１の幅は挿通孔５１の幅（左右の壁４３の間隔）と同程度である。庇３０の上側表面３１と傾斜面３１１との交差角（傾斜角）αは、例えば、５度ないし１０度の範囲とすることができる。なお、交差角αはこれに限定されるものではない。
【００４５】
挿通孔５１の下側の壁４５の壁面４５１と前述の傾斜面３１１とは略同一面をなす。挿通孔５１の下側の壁面４５１と庇の傾斜面３１１との交差角は、例えば、５度ないし１０度程度とすることができるが、これに限定されるものではない。
【００４６】
庇３０の上側表面３１の一部に傾斜面３１１を設けてあるので、庇３０の上側表面３１に溜まった水滴が挿通孔５１の壁面４５１を伝わって流れやすくなり、雨水が庇３０に残留することを抑制することができる。
【００４７】
図１１はルーバー５０の挿通孔５１近傍の第３例を示す要部断面図である。図１１に示すように、図６の第１例との違いは、庇３０の上側表面３１に傾斜面を設けていない点である。
【００４８】
図１１に示すように、挿通孔５１の下側の壁面４５１は、板体４０の表側から裏側に向かって下方に傾斜してある。庇３０の上側表面３１と壁面４５１との交差角（傾斜角）βは、例えば、５度ないし２０度の範囲とすることができる。なお、交差角βはこれに限定されるものではない。挿通孔５１の下側の壁面４５１を傾斜してあるので、庇３０の上側表面３１に溜まった水滴が挿通孔５１の壁面４５１を伝わって流れやすくなり、雨水が庇３０に残留することを抑制することができる。
【００４９】
図１２はルーバー５０の挿通孔５１近傍の第４例を示す要部断面図である。図１２に示すように、図６の第１例との違いは、挿通孔５１の下側の壁面４５１を庇３０の上側表面３１の傾斜面３１１よりもさらに下方へ傾斜させている点である。
【００５０】
図１２に示すように、挿通孔５１の下側の壁面４５１は、庇３０の上側表面３１の傾斜面３１１に対して交差角（傾斜角）γを有する。すなわち、挿通孔５１の下側の壁４５の壁面４５１と傾斜面３１１とは略同一面をなす。庇３０の傾斜面３１１と壁面４５１との交差角（傾斜角）γは、例えば、５度ないし１０度の範囲とすることができる。なお、交差角γはこれに限定されるものではない。
【００５１】
庇３０の上側表面３１の一部に傾斜面３１１を設け、さらに傾斜面３１１に対して交差角（傾斜角）γを有して壁面４５１を設けてあるので、庇３０の上側表面３１に溜まった水滴が挿通孔５１の壁面４５１を伝わって一層流れやすくなり、雨水が庇３０に残留することを抑制することができる。
【００５２】
（実施の形態２）
図１３は実施の形態２のルーバー５５の構成の第１例を示す要部外観斜視図である。実施の形態１との相違点は、庇３０の上側表面３１に平面視が矩形状の突起部と溝を設けた点である。
【００５３】
図１３に示すように、庇３０の上側表面３１に矩形状の突起部３３を、長辺側が挿通孔５１に向かうように複数平行に形成してある。そして、隣り合う突起部３３の間には、挿通孔５１に向かって形成された複数の溝３２を備える。突起部３３の幅は、例えば、１．６ｍｍ程度、溝３２の幅は、０．８ｍｍ程度、溝３２の深さは、０．４ｍｍ程度であるが、寸法はこれらに限定されるものではない。
【００５４】
図１４は親水効果の比較例を示す説明図である。図１４Ａは、溝を設けない構成の場合を示し、図１４Ｂは溝３２を設けた場合を示す。図１４Ａに示すように、庇３０の表面に溝がない場合には、表面張力などによって比較的大きな塊として水滴Ｗが溜まる。なお、上述したように、溝がない場合でも、実施の形態１では、庇３０の表面に溜まった水滴Ｗは挿通孔５１の壁面４５１を伝わって流れやすくなり、雨水が庇３０に残留することを抑制することができる。
【００５５】
一方、図１４Ｂに示すように、庇３０の表面に溝３２を設けた場合には、水滴Ｗが溝３２に入り込むことにより、水滴Ｗが大きな塊として溜まらないようにすることができ、水滴Ｗを庇３０の表面に広げることができ、水滴Ｗを一層流れやすくすることができる。
【００５６】
図１５は実施の形態２のルーバー５５の構成の第２例を示す要部外観斜視図である。図１３の例との相違点は、庇３０の上側表面３１に格子状に溝を設けた点である。
【００５７】
図１５に示すように、庇３０の上側表面３１に矩形状の突起部３５を、格子状に複数形成してある。これにより、庇３０の上側表面３１に複数の溝３２、３４を格子状に設ける。突起部３５の一辺の長さは、例えば、１．６ｍｍ程度、溝３２、３４の幅は、０．８ｍｍ程度、溝３２、３４の深さは、０．４ｍｍ程度であるが、寸法はこれらに限定されるものではない。また、突起部３５の平面視の形状は、矩形状に限定されるものではなく、円形、楕円形など他の形状でもよい。また、溝３２、３４の形状も、直線状又は格子状に限定されるものではなく、曲線状などであってもよい。
【００５８】
図１５に示す第２の例の場合も、水滴Ｗが溝３２、３４に入り込むことにより、水滴Ｗが大きな塊として溜まらないようにすることができ、水滴Ｗを庇３０の表面に広げることができ、水滴Ｗを一層流れやすくすることができる。
【００５９】
上述の実施の形態１、２では、庇３０に溜まった水滴が挿通孔５１の下側の壁面４５１から裏側の隙間に流れ落ち、それに引っ張られるようにして庇３０の前方に溜まった水滴も挿通孔５１の方へ流れて下方に排出されるので、雨水が溜まることを抑制して視認性を向上させることができる表示装置を実現することができる。
【００６０】
また、上述の各実施の形態では、庇に溜まった水滴を、挿通孔を通して下方に排出することが容易になり、排水効果に優れるので、庇の長さを長くしても十分な排水効果が得られる。このため、太陽光がＬＥＤに当たらないように庇の長さを長くすることが可能となる。
【００６１】
上述の実施の形態２では、直線状又は格子状の溝を設ける構成であったが、溝の構成はこれに限定されるものではなく、上述の溝の間隔よりもさらに微細な突起を庇の上側表面に設けることにより親水性を高めることもできる。
【符号の説明】
【００６２】
３０  庇
３１  上側表面
３１１  傾斜面
３２、３４  溝
４０  板体
４３、４５  壁
４５１  壁面
４５２  裏側端部
５０、５５  ルーバー
５１  挿通孔
７２  ＬＥＤ 
【図１】
2012220616.tif 000003
【図２】
2012220616.tif 000004
【図３】
2012220616.tif 000005
【図４】
2012220616.tif 000006
【図５】
2012220616.tif 000007
【図６】
2012220616.tif 000008
【図７】
2012220616.tif 000009
【図８】
2012220616.tif 000010
【図９】
2012220616.tif 000011
【図１０】
2012220616.tif 000012
【図１１】
2012220616.tif 000013
【図１２】
2012220616.tif 000014
【図１３】
2012220616.tif 000015
【図１４】
2012220616.tif 000016
【図１５】
2012220616.tif 000017